(57)【要約】【課題】  ガスの使用量を他のエネルギー量に変換して表示させることができるガスメータ装置を提供すること。【解決手段】  ガス流量を積算してガス積算値として表示させる機能手段を備えているガスメータと、このガスメータ１１に信号線を介して接続され、ガス積算値を表示する遠隔表示装置２１とを備えたガスメータ装置において、遠隔表示装置２１は、表示切替ボタン２３を備え、この表示切替ボタン２３が操作される毎にガス積算値に対する他のエネルギー変換値を表示する表示制御手段とを具備した。【選択図】      図１
2005214660.tif 000002
【特許請求の範囲】
【請求項１】
ガス流量を積算してガス積算値として表示させる機能手段を備えているガスメータと、
このガスメータに信号線を介して接続され、前記ガス積算値を表示する遠隔表示部とを備えたガスメータ装置において、
前記遠隔表示部は、表示切替手段を備え、この表示切替手段が操作される毎にガス積算値に対する他のエネルギー変換値を表示する表示制御手段とを具備したことを特徴とするガスメータ装置。
【請求項２】
前記ガス積算値としてはＬＰガス積算値あるいは都市ガス積算値のうちのいずれか一方であり、前記表示切替手段が操作される毎にＬＰガス積算値、都市ガス積算値、電力値に切り替えて表示されることを特徴とする請求項1記載のガスメータ装置。
【請求項３】
前記表示制御手段は、ＬＰガス積算値をエネルギー量に変換する変換係数、都市ガス積算値をエネルギー量に変換する変換係数、電力値をエネルギー量に変換する変換係数を備え、ＬＰガス積算値をエネルギー量に変換する変換係数、都市ガス積算値とエネルギー量に変換する変換係数はガスの種別により可変できることを特徴とする請求項２記載のガスメータ装置。
【請求項４】
表示部と、
ガス流量を積算してガス積算値として前記表示部に表示させる機能手段と、
表示切替手段と、
この表示切替手段が操作される毎にガス積算値に対する他のエネルギー変換値を表示する表示制御手段とを具備したことを特徴とするガスメータ。
【発明の詳細な説明】
【技術分野】
【０００１】
本発明は、ガスの使用量を測定する装置であって、例えばＬＰガスの使用量を都市ガスの使用量に変換したり、その逆も行うことができるガスメータ装置に関する。
【背景技術】
【０００２】
従来よりＬＰガスや都市ガスの使用量を測定するガスメータが知られている（例えば、特許文献１参照のこと）。
【０００３】
現在国内では、ＬＰガスを使用している家庭や、都市ガスを使用している家庭がある。この場合に、ＬＰガスを使用する家庭においては、ＬＰガスの使用量を測定するガスメータを設置している。
【０００４】
そして、ＬＰガスを使用している人は、設置されているガスメータの表示を見ることによりＬＰガスの使用量を知ることができる。
【特許文献１】特開２００１−０４１７９１
【発明の開示】
【発明が解決しようとする課題】
【０００５】
しかしながら、ＬＰガスを使用している人は、ＬＰガスの代わりに都市ガスを使用した
ら、どの程度の使用量になるかを知ることはできなかった。さらに、ＬＰガスの使用量を電気の使用量に換算した電力値を表示させることはできなかった。
【０００６】
このようなことができれば、ガスの使用者は安い方のガスを選択して使用することができるばかりでなく、電気とガスのうちどちらの燃料を使用した方が安いかを判断することができる。  
本発明は、上記の点に鑑みてなされたもので、その目的は、ガスの使用量を他のエネルギー量に変換して表示させることができるガスメータ装置を提供することにある。
【課題を解決するための手段】
【０００７】
請求項1記載の発明は、ガス流量を積算してガス積算値として表示させる機能手段を備えているガスメータと、このガスメータに信号線を介して接続され、前記ガス積算値を表示する遠隔表示部とを備えたガスメータ装置において、前記遠隔表示部は、表示切替手段を備え、この表示切替手段が操作される毎にガス積算値に対する他のエネルギー変換値を表示する表示制御手段とを具備したことを特徴とする。
【０００８】
請求項2記載の発明は、前記ガス積算値としてはＬＰガス積算値あるいは都市ガス積算値のうちのいずれか一方であり、前記表示切替手段が操作される毎にＬＰガス積算値、都市ガス積算値、電力値に切り替えて表示されることを特徴とする。
【０００９】
請求項3記載の発明は、前記表示制御手段は、ＬＰガス積算値をエネルギー量に変換する変換係数、都市ガス積算値をエネルギー量に変換する変換係数、電力値をエネルギー量に変換する変換係数を備え、ＬＰガス積算値をエネルギー量に変換する変換係数、都市ガス積算値とエネルギー量に変換する変換係数はガスの種別により可変できることを特徴とする。
【００１０】
請求項４記載の発明は、表示部と、ガス流量を積算してガス積算値として前記表示部に表示させる機能手段と、表示切替手段と、この表示切替手段が操作される毎にガス積算値に対する他のエネルギー変換値を表示する表示制御手段とを具備したことを特徴とする。
【発明の効果】
【００１１】
請求項1記載のガスメータ装置によれば、ガス積算値に対する他のエネルギー変換値を表示することができるので、それらの比較を行うことができる。
【００１２】
請求項２記載のガスメータ装置によれば、ＬＰガスの積算値、都市ガスの積算値、電力値を互いに変換して表示させることができるので、使用者はＬＰガスの積算値、都市ガスの積算値、電力値を知ることができる。これにより、使用者は最も経済的なエネルギーを選択することができる。
【００１３】
請求項３記載のガスメータ装置によれば、ガス種別によりエネルギー値を表示することができる。
【００１４】
請求項４記載のガスメータによれば、ガス積算値に対する他のエネルギー変換値を表示することができるので、それらの比較を行うことができる。
【発明を実施するための最良の形態】
【００１５】
以下図面を参照して本発明の一実施の形態に係わるガスメータ装置について図１参照して説明する。図１において、１１はガスメータである。このガスメータ１１は、例えばＬＰガスの使用量を測定する。
【００１６】
ガスメータ１１はマイクロプロセッサを中心に構成されており、図示しない配管中を流れるガスを測定して表示部１２に表示する機能を有する。
【００１７】
また、このガスメータ１１は信号線２０を介して遠隔表示装置２１に接続される。この遠隔表示装置２１は表示部２２、表示切替ボタン２３を備えている。この遠隔表示装置２１の詳細な構成について図２を参照して後述する。
【００１８】
次に、図２を参照して遠隔表示装置２１の詳細な構成について説明する。図において、３１は例えばマイクロプロセッサから構成される制御部である。この制御部３１にはＲＯＭ（リード・オンリ・メモリ）３２、ＲＡＭ（ランダム・アクセス・メモリ）３３、表示切替ボタン２３、表示部２２、通信Ｉ／Ｆ３４が接続されている。
【００１９】
表示部２２はＬＰガス積算値あるいは都市ガス積算値が表示されるガス積算値表示部２２ａ、ガス使用量表示部２２ａに表示されたガス積算値に相当する電力値が表示される電力値表示部２２ｂ、ガス使用量表示部２２ａに表示されたガス積算値に相当するエネルギー量が表示されるエネルギー量表示部２２ｃが設けられている。
【００２０】
ＲＯＭ３２には図３のフローチャートに示す表示処理を行うプログラムが記憶されている。
【００２１】
ＲＡＭ３３には、図４に示すようにＬＰガス積算値をエネルギー量に変換する変換係数ａ、都市ガス積算値をエネルギー量に変換する変換係数ｂ、電力値をエネルギー量に変換する変換係数ｃが記憶されている。
【００２２】
ここで、ＬＰガス積算値をエネルギー量に変換する変換係数ａは通信Ｉ／Ｆを介してセンタ（図示しない）から送信される係数に任意に変更可能である。これは、ＬＰガスの種類によってエネルギー量に変換する変換係数が異なることに対処するためである。
【００２３】
また同様に、都市ガス積算値をエネルギー量に変換する変換係数ｂは通信Ｉ／Ｆを介してセンタ（図示しない）から送信される係数に任意に変更可能である。これは、都市ガスの種類によってエネルギー量に変換する変換係数が異なることに対処するためである。
【００２４】
例えば、ＬＰガス積算値を電力値に変換する場合には、都市ガス積算値に変換係数ａを乗算した後に１／ｃを乗算することにより算出される。また、ＬＰガス積算値を都市ガス積算値に変換する場合には、ＬＰガス積算値に変換係数ａを乗算した後に１／ｂを乗算することにより算出される。
【００２５】
次に、上記のように構成された本発明の一実施の形態の動作について説明する。まず、ガスメータ１２において、ＬＰガスの使用量が測定され、その表示部１２にＬＰガス積算値が表示される。このＬＰガス積算値は信号線２０を介して遠隔表示装置２１に送られ、表示部１２に表示されたＬＰガス積算値と同じ値が表示部２２に行われる（ステップＳ１）。
【００２６】
このように、ガスメータ１１の表示部１２に表示されたＬＰガス積算値を遠隔表示装置２１の表示部２２にも表示するようにしたので、ガスメータ１１の表示部１２の表示が見ずらい場合には、表示部２２でＬＰガス積算値を確実に読み取ることができる。
【００２７】
ところで、表示部２２に表示されているＬＰガス積算値の都市ガス積算値に変換したい場合には、表示切替ボタン２３を１回操作する。この操作により、ステップＳ２の判定で「ＹＥＳ」と判定されると、ＬＰガス積算値を都市ガス積算値に変換する処理がなされる（ステップＳ３）。つまり、ＬＰガス積算値にａを乗算してエネルギー量に変換した後に１／ｂを乗算することにより都市ガス積算値を算出している。そして、この都市ガス積算値が表示部２２に表示される（ステップＳ４）。
【００２８】
このように表示切替ボタン２３を１回操作すると、今まで表示されていたＬＰガス積算値を都市ガス積算値に変換して表示部２２に表示させることができる。従って、ガス使用者はＬＰガス積算値と都市ガス積算値とを比較することができる。
【００２９】
次に、都市ガス積算値を電力値に変換させて表示させる場合には、再度表示切替ボタン２３を操作する。
【００３０】
このように、表示切替ボタン２３を再度操作すると、ステップＳ５の判定で「ＹＥＳ」と判定されて図４に示す処理により都市ガス積算値を電力値に変換する処理がなされる（ステップＳ６）。
【００３１】
そして、この電力値は表示部２２に表示される（ステップＳ７）。
【００３２】
次に、表示切替ボタン２３が操作されたかが判定される（ステップＳ８）。このステップＳ８の判定で「ＹＥＳ」と判定された場合には、図４に示す処理により電力値をエネルギー量に変換する処理がなされる（ステップＳ９）。そして、そのエネルギー値は表示部２２に表示される（ステップＳ１０）。
【００３３】
このように、表示切替ボタン２２が操作される毎に、表示部２２にＬＰガス積算値、都市ガス積算値、電力値、エネルギー量が表示されるので、ガスの使用者は他のエネルギー値を認識することができる。
【００３４】
ところで、地域によってＬＰガスあるいは都市ガスのガス種が異なることに起因してエネルギー量が異なる場合がある。このような場合には、センタ（図示しない）等から通信Ｉ／Ｆ３４を介してＲＡＭ３３に記憶されているＬＰガス積算値をエネルギー量に変換する変換係数ａ及び都市ガス積算値をエネルギー量に変換する変換係数ｂを可変設定する。このことにより、ガス種が異なった場合でも適確な変換処理を行うことができる。
【００３５】
なお、上記した実施の形態では、ＬＰガスメータについて説明したが、都市ガスメータについても図４に示したように変換係数ａ、ｂ，ｃを記憶させておくこことにより、都市ガス積算値以外のエネルギー値を表示部２２に表示させることができる。
【００３６】
なお、上記した実施の形態では、センタ（図示しない）から通信Ｉ／Ｆ３４を介して変換係数ａ及びｂをＲＡＭ３３に設定するようにしたが、ＲＯＭ３２やＲＡＭ３３に予め複数の変換係数ａ及びｂを設定しておき、切替スイッチを新たに設け、この切替スイッチを操作して変換係数ａ及びｂを選択するようにしても良い。
【００３７】
さらに、上記した実施の形態では、ガスメータ１１に遠隔表示装置２１を接続したガスメータ装置について説明したが、遠隔表示装置２１の機能をガスメータに組み込むことにより、ガスメータ１１単体でガス積算値に対する他のエネルギー変換値を表示することができ、さらにその変換係数ａ、ｂを通信Ｉ／Ｆを介して任意に可変設定することができるようにしても良い。
【００３８】
さらに、上記実施の形態ではＲＡＭ３３を使用したが、Ｅ２ＰＲＯＭやフラッシュＲＯＭのような記憶装置を使用しても良い。
【００３９】
さらに、表示部２２に表示されるエネルギー量の単位としてＪ（ジュール）や他の単位系を使用しても良い。
【図面の簡単な説明】
【００４０】
【図１】本発明の一実施の形態に係わるガスメータ装置の構成を示すブロック図。
【図２】同実施の形態に係わる遠隔表示部の構成を示すブロック図。
【図３】同実施の形態に係わる遠隔表示部の動作を説明するためのフローチャート。
【図４】同実施の形態に係わるエネルギー変換動作を説明するための模式図。
【符号の説明】
【００４１】
１１…ガスメータ、１２…表示部、２１…遠隔表示装置、２２…表示部、２３…表示切替ボタン。
【図１】
2005214660.tif 000003
【図２】
2005214660.tif 000004
【図３】
2005214660.tif 000005
【図４】
2005214660.tif 000006